(57)【要約】  基準パート決定部は、３つ以上の複数のパートのうち１つのパートを基準パートに決定する。対象パート群決定部は、複数のパートのうち基準パート決定部により決定された基準パートを除く他の複数のパートを対象パート群に決定する。取得部は、基準パートに設定される第１の音響パラメータの値の変化パターンを取得する。変化部は、取得部により取得された変化パターンに従って対象パート群決定部により決定された対象パート群に設定される第２の音響パラメータの値を変化させる。
2019159259.tif 000002
【特許請求の範囲】
【請求項１】
３つ以上の複数のパートのうち１つのパートを基準パートに決定する基準パート決定部と、
前記複数のパートのうち前記基準パートを除く他の複数のパートを対象パート群に決定する対象パート群決定部と、
前記基準パートに設定される第１の音響パラメータの値の変化パターンを取得する取得部と、
前記取得された変化パターンに従って前記対象パート群に設定される第２の音響パラメータの値を変化させる変化部とを備えた、音響パラメータ調整装置。
【請求項２】
前記第１の音響パラメータは音量であり、
前記変化パターンは、音量の時間的変化を表す包絡線である、請求項１記載の音響パラメータ調整装置。
【請求項３】
前記第２の音響パラメータの選択を受け付ける受付部と、
選択された第２の音響パラメータおよび可否条件に基づいて、前記対象パート群の各パートについて前記選択された第２の音響パラメータの値を変化させるべきか否かを判定する判定部とをさらに備え、
前記変化部は、前記対象パート群のうち、前記第２の音響パラメータの値を変化させるべきであると判定されたパートについて前記変化パターンに従って前記第２の音響パラメータの値を変化させる、請求項１または２記載の音響パラメータ調整装置。
【請求項４】
前記選択された第２の音響パラメータおよび係数設定条件に基づいて、前記第２の音響パラメータの値を変化させるべきであると判定されたパートに、前記第２の音響パラメータの変化の度合いを表す変化係数を設定する設定部をさらに備える、請求項３記載の音響パラメータ調整装置。
【請求項５】
前記基準パート決定部は、前記複数のパートのうち、決定条件を満たすパートを基準パートに決定する、請求項１〜４のいずれか一項に記載の音響パラメータ調整装置。
【請求項６】
前記決定条件は、第１の音響パラメータの値がしきい値を境界とする上範囲と下範囲との間で一定時間毎に一定回数以上移行することである、請求項５記載の音響パラメータ調整装置。
【請求項７】
前記決定条件は、アルペジオが設定されていることである、請求項５記載の音響パラメータ調整装置。
【請求項８】
３つ以上の複数のパートのうち１つのパートを基準パートに決定することと、
前記複数のパートのうち前記基準パートを除く他の複数のパートを対象パート群に決定することと、
前記基準パートに設定される第１の音響パラメータの値の変化パターンを取得することと、
取得された前記変化パターンに従って前記対象パート群に設定される第２の音響パラメータの値を変化させることとを含む、音響パラメータ調整方法。
【請求項９】
前記第１の音響パラメータは音量であり、
前記変化パターンは、音量の時間的変化を表す包絡線である、請求項８記載の音響パラメータ調整方法。
【請求項１０】
方法は、
前記第２の音響パラメータの選択を受け付けることと、
選択された第２の音響パラメータおよび可否条件に基づいて、前記対象パート群の各パートについて前記選択された第２の音響パラメータの値を変化させるべきか否かを判定することとをさらに含み、
前記第２の音響パラメータの値を変化させることは、前記対象パート群のうち、前記第２の音響パラメータの値を変化させるべきであると判定されたパートについて前記変化パターンに従って前記第２の音響パラメータの値を変化させることを含む、請求項８または９記載の音響パラメータ調整方法。
【請求項１１】
前記選択された第２の音響パラメータおよび係数設定条件に基づいて、前記第２の音響パラメータの値を変化させるべきであると判定されたパートに、前記第２の音響パラメータの変化の度合いを表す変化係数を設定することをさらに含む、請求項１０記載の音響パラメータ調整方法。
【請求項１２】
前記基準パートを決定することは、前記複数のパートのうち、決定条件を満たすパートを基準パートに決定することを含む、請求項８〜１１のいずれか一項に記載の音響パラメータ調整方法。
【請求項１３】
前記決定条件は、第１の音響パラメータの値がしきい値を境界とする上範囲と下範囲との間で一定時間毎に一定回数以上移行することである、請求項１２記載の音響パラメータ調整方法。
【請求項１４】
前記決定条件は、アルペジオが設定されていることである、請求項１２記載の音響パラメータ調整方法。
【請求項１５】
３つ以上の複数のパートのうち１つのパートを基準パートに決定することと、
前記複数のパートのうち前記基準パートを除く他の複数のパートを対象パート群に決定することと、
前記基準パートに設定される第１の音響パラメータの値の変化パターンを取得することと、
取得された前記変化パターンに従って前記対象パート群に設定される第２の音響パラメータの値を変化させることとを、
コンピュータに実行させるための音響パラメータ調整プログラム。
【請求項１６】
前記第１の音響パラメータは音量であり、
前記変化パターンは、音量の時間的変化を表す包絡線である、請求項１５記載の音響パラメータ調整プログラム。
【請求項１７】
前記第２の音響パラメータの選択を受け付けることと、
選択された第２の音響パラメータおよび可否条件に基づいて、前記対象パート群の各パートについて前記選択された第２の音響パラメータの値を変化させるべきか否かを判定することとを、
前記コンピュータにさらに実行させ、
前記第２の音響パラメータの値を変化させることは、前記対象パート群のうち、前記第２の音響パラメータの値を変化させるべきであると判定されたパートについて前記変化パターンに従って前記第２の音響パラメータの値を変化させることを含む、請求項１５または１６記載の音響パラメータ調整プログラム。
【請求項１８】
前記選択された第２の音響パラメータおよび係数設定条件に基づいて、前記第２の音響パラメータの値を変化させるべきであると判定されたパートに、前記第２の音響パラメータの変化の度合いを表す変化係数を設定することをさらに含む、請求項１７記載の音響パラメータ調整プログラム。
【請求項１９】
前記基準パートを決定することは、前記複数のパートのうち、決定条件を満たすパートを基準パートに決定することを含む、請求項１５〜１８のいずれか一項に記載の音響パラメータ調整プログラム。
【請求項２０】
前記決定条件は、第１の音響パラメータの値がしきい値を境界とする上範囲と下範囲との間で一定時間毎に一定回数以上移行することである、請求項１９記載の音響パラメータ調整プログラム。
【請求項２１】
前記決定条件は、アルペジオが設定されていることである、請求項１９記載の音響パラメータ調整プログラム。
【発明の詳細な説明】
【技術分野】
【０００１】
本発明は、パートに設定される音響パラメータを調整する音響パラメータ調整装置、音響パラメータ調整方法および音響パラメータ調整プログラムに関する。
【背景技術】
【０００２】
複数のパートの演奏を行うことが可能な電子音楽装置において、１つのパートの音響パラメータの値の変化に従って他のパートの音響パラメータの値を変化させる技術がある。特許文献１に記載されるコンテンツ制御装置においては、入力された音響波形のエンベロープに基づいてパラメータ値が計算され、そのパラメータ値が音源回路に供給される。これにより、例えば、複数の演奏パートのうちの所定の演奏パートの音響波形のエンベロープに従って、他の演奏パートの楽音の発生態様を自動的に変化させることができる。
【特許文献１】特開２０１６−８１０４５号公報
【発明の概要】
【発明が解決しようとする課題】
【０００３】
しかしながら、上記特許文献１のコンテンツ制御装置において、複数の演奏パートの関係性を適切に設定するために、専門的な知見および煩雑な設定操作が必要となる。熟練を有しないユーザにとって、このような設定を行うことは容易でない。【０００４】
本発明の目的は、容易にかつ効果的に複数のパートの音響パラメータの値を変化させることが可能な音響パラメータ調整装置、音響パラメータ調整方法および音響パラメータ調整プログラムを提供することである。
【課題を解決するための手段】
【０００５】
本発明に係る音響パラメータ調整装置は、３つ以上の複数のパートのうち１つのパートを基準パートに決定する基準パート決定部と、複数のパートのうち基準パートを除く他の複数のパートを対象パート群に決定する対象パート群決定部と、基準パートに設定される第１の音響パラメータの値の変化パターンを取得する取得部と、取得された変化パターンに従って対象パート群に設定される第２の音響パラメータの値を変化させる変化部とを備える。【０００６】
第１の音響パラメータは音量であり、変化パターンは、音量の時間的変化を表す包絡線であってもよい。【０００７】
音響パラメータ調整装置は、第２の音響パラメータの選択を受け付ける受付部と、選択された第２の音響パラメータおよび可否条件に基づいて、対象パート群の各パートについて選択された第２の音響パラメータの値を変化させるべきか否かを判定する判定部とをさらに備え、変化部は、対象パート群のうち、第２の音響パラメータの値を変化させるべきであると判定されたパートについて変化パターンに従って第２の音響パラメータの値を変化させてもよい。音響パラメータ調整装置は、選択された第２の音響パラメータおよび係数設定条件に基づいて、第２の音響パラメータの値を変化させるべきであると判定されたパートに、第２の音響パラメータの変化の度合いを表す変化係数を設定する設定部をさらに備えてもよい。【０００８】
基準パート決定部は、複数のパートのうち、決定条件を満たすパートを基準パートに決定してもよい。決定条件は、第１の音響パラメータの値がしきい値を境界とする上範囲と下範囲との間で一定時間毎に一定回数以上移行することであってもよい。決定条件は、アルペジオが設定されていることであってもよい。【０００９】
本発明に係る音響パラメータ調整方法は、３つ以上の複数のパートのうち１つのパートを基準パートに決定することと、複数のパートのうち基準パートを除く他の複数のパートを対象パート群に決定することと、基準パートに設定される第１の音響パラメータの値の変化パターンを取得することと、取得された変化パターンに従って対象パート群に設定される第２の音響パラメータの値を変化させることとを含む。【００１０】
第１の音響パラメータは音量であり、変化パターンは、音量の時間的変化を表す包絡線であってもよい。【００１１】
音響パラメータ調整方法は、第２の音響パラメータの選択を受け付けることと、選択された第２の音響パラメータおよび可否条件に基づいて、対象パート群の各パートについて選択された第２の音響パラメータの値を変化させるべきか否かを判定することとをさらに含み、第２の音響パラメータの値を変化させることは、対象パート群のうち、第２の音響パラメータの値を変化させるべきであると判定されたパートについて変化パターンに従って第２の音響パラメータの値を変化させることを含んでもよい。音響パラメータ調整方法は、選択された第２の音響パラメータおよび係数設定条件に基づいて、第２の音響パラメータの値を変化させるべきであると判定されたパートに、第２の音響パラメータの変化の度合いを表す変化係数を設定することをさらに含んでもよい。【００１２】
基準パートを決定することは、複数のパートのうち、決定条件を満たすパートを基準パートに決定することを含んでもよい。決定条件は、第１の音響パラメータの値がしきい値を境界とする上範囲と下範囲との間で一定時間毎に一定回数以上移行することであってもよい。決定条件は、アルペジオが設定されていることであってもよい。【００１３】
本発明に係る音響パラメータ調整プログラムは、３つ以上の複数のパートのうち１つのパートを基準パートに決定することと、複数のパートのうち基準パートを除く他の複数のパートを対象パート群に決定することと、基準パートに設定される第１の音響パラメータの値の変化パターンを取得することと、取得された変化パターンに従って対象パート群に設定される第２の音響パラメータの値を変化させることとを、コンピュータに実行させるためのものである。【００１４】
第１の音響パラメータは音量であり、変化パターンは、音量の時間的変化を表す包絡線であってもよい。【００１５】
音響パラメータ調整プログラムは、第２の音響パラメータの選択を受け付けることと、選択された第２の音響パラメータおよび可否条件に基づいて、対象パート群の各パートについて選択された第２の音響パラメータの値を変化させるべきか否かを判定することとを、コンピュータにさらに実行させ、第２の音響パラメータの値を変化させることは、対象パート群のうち、第２の音響パラメータの値を変化させるべきであると判定されたパートについて変化パターンに従って第２の音響パラメータの値を変化させることを含んでもよい。音響パラメータ調整プログラムは、選択された第２の音響パラメータおよび係数設定条件に基づいて、第２の音響パラメータの値を変化させるべきであると判定されたパートに、第２の音響パラメータの変化の度合いを表す変化係数を設定することをさらに含んでもよい。【００１６】
基準パートを決定することは、複数のパートのうち、決定条件を満たすパートを基準パートに決定することを含んでもよい。決定条件は、第１の音響パラメータの値がしきい値を境界とする上範囲と下範囲との間で一定時間毎に一定回数以上移行することであってもよい。決定条件は、アルペジオが設定されていることであってもよい。
【発明の効果】
【００１７】
本発明によれば、容易にかつ効果的に複数のパートの音響パラメータの値を変化させることができる。
【図面の簡単な説明】
【００１８】
【図１】図１は本発明の一実施の形態に係る電子音楽装置の構成を示すブロック図である。
【図２】図２は音響パラメータ調整装置の機能的な構成を示すブロック図である。
【図３】図３は基準パートと対象パート群との関係について説明するための図である。
【図４】図４は基準パートの音量と対象パート群の第２の音響パラメータとの関係について説明するための図である。
【図５】図５は一括設定画面の例を示す図である。
【図６】図６は条件テーブルの一例を示す図である。
【図７】図７は複数の設定記憶領域に記憶される複数のパラメータ制御情報の例を示す図である。
【図８】図８は図２の各機能部による音響パラメータ設定処理の一例を示すフローチャートである。
【図９】図９は図２の各機能部による音響パラメータ制御処理の一例を示すフローチャートである。
【発明を実施するための形態】
【００１９】
以下、本発明の実施の形態に係る音響パラメータ調整装置、音響パラメータ調整方法および音響パラメータ調整プログラムについて図面を用いて詳細に説明する。
【００２０】
［１］電子音楽装置の構成
図１は本発明の一実施の形態に係る電子音楽装置の構成を示すブロック図である。図１の電子音楽装置１によれば、使用者は演奏を行うことができるとともに楽曲の制作等の音楽制作を行うことができる。
【００２１】
電子音楽装置１は、演奏操作部２、入力Ｉ／Ｆ（インタフェース）３、設定操作部４、検出回路５、ディスプレイ６および表示回路７を備える。演奏操作部２は、例えば、複数の鍵からなる鍵盤を含む。また、演奏操作部２は、ユーザが足で操作するペダル操作子（例えば、エクスプレッションペダル、ペダルスイッチまたはダンパーペダル等）を含んでもよく、回転操作子（例えばロータリエンコーダ）またはスライド操作子（例えばリニアエンコーダ）等を含んでもよい。演奏操作部２は、入力Ｉ／Ｆ３を介してバス１９に接続され、使用者の演奏動作に基づく演奏データが演奏操作部２により入力される。
【００２２】
設定操作部４は、オンオフ操作されるスイッチ、回転操作またはスライド操作される可変抵抗器等を含み、検出回路５を介してバス１９に接続される。設定操作部４は、音色の切り替え、音量の調整、電源のオンオフおよび各種設定を行うために用いられる。ディスプレイ６は、表示回路７を介してバス１９に接続される。ディスプレイ６には、演奏または設定等に関する各種情報が表示される。ディスプレイ６および設定操作部４の少なくとも一部がタッチパネルディスプレイにより構成されてもよい。
【００２３】
電子音楽装置１は、ＲＡＭ（ランダムアクセスメモリ）９、ＲＯＭ（リードオンリメモリ）１０、ＣＰＵ（中央演算処理装置）１１、タイマ１２、記憶装置１３および通信Ｉ／Ｆ（インタフェース）１４をさらに備える。ＲＡＭ９、ＲＯＭ１０、ＣＰＵ１１、記憶装置１３および通信Ｉ／Ｆ１４はバス１９に接続され、タイマ１２はＣＰＵ１１に接続される。外部記憶装置１５等の外部機器が通信Ｉ／Ｆ１４を介してバス１９に接続されてもよい。ＲＡＭ９、ＲＯＭ１０およびＣＰＵ１１がコンピュータを構成する。また、ＲＡＭ９、ＲＯＭ１０、ＣＰＵ１１および記憶装置１３が音響パラメータ調整装置１００を構成する。
【００２４】
ＲＡＭ９は、例えば揮発性メモリからなり、ＣＰＵ１１の作業領域として用いられるとともに、各種データを一時的に記憶する。ＲＯＭ１０は、例えば不揮発性メモリからなり、制御プログラムおよび音響パラメータ調整プログラム等のコンピュータプログラムを記憶する。ＣＰＵ１１は、ＲＯＭ１０に記憶された音響パラメータ調整プログラムをＲＡＭ９上で実行することにより後述する音響パラメータ設定処理および音響パラメータ制御処理を行う。タイマ１２は、現在時刻等の時間情報をＣＰＵ１１に与える。
【００２５】
記憶装置１３は、ハードディスク、光学ディスク、磁気ディスクまたはメモリカード等の記憶媒体を含む。外部記憶装置１５は、記憶装置１３と同様に、ハードディスク、光学ディスク、磁気ディスクまたはメモリカード等の記憶媒体を含む。上記の音響パラメータ調整プログラムが記憶装置１３または外部記憶装置１５に記憶されてもよい。
【００２６】
音響パラメータ調整プログラムは、コンピュータが読み取り可能な記録媒体に格納された形態で提供され、ＲＯＭ１０または記憶装置１３にインストールされてもよい。また、通信Ｉ／Ｆ１４が通信網に接続されている場合、通信網に接続されたサーバから配信された音響パラメータ調整プログラムがＲＯＭ１０または記憶装置１３にインストールされてもよい。
【００２７】
電子音楽装置１は、音源１６およびサウンドシステム１８をさらに備える。音源１６はバス１９に接続され、サウンドシステム１８は音源１６およびバス１９に接続される。音源１６は、演奏操作部２から入力される演奏データまたは記憶装置１３から与えられるシーケンスデータ等に基づいて音響信号を生成するとともにその音響信号に音響効果を付与する。音響効果は、例えば、リバーブ（Reverb）、ディレイ（Delay）、モジュレーション（Modulation）、ディストーション（Distortion）、ブリリアンス（Brilliance）、エンハンス（Enhance）等である。サウンドシステム１８は、デジタルアナログ（Ｄ／Ａ）変換回路、増幅器およびスピーカを含む。サウンドシステム１８は、音源１６から与えられる音響信号に基づく楽音を発生する。
【００２８】
［２］音響パラメータ調整装置の機能的な構成
図２は、音響パラメータ調整装置１００の機能的な構成を示すブロック図である。図２に示すように、音響パラメータ調整装置１００は、基準パート決定部５１、対象パート群決定部５２、取得部５３、受付部５４、判定部５５、設定部５６、変化部５７および表示制御部５８を含む。図１のＣＰＵ１１がＲＯＭ１０または記憶装置１３に記憶された音響パラメータ調整プログラムを実行することにより図２における音響パラメータ調整装置１００の各部の機能が実現される。
【００２９】
本実施の形態では、３つ以上の複数のパートが設定される。複数のパートは、リズムパートおよびノーマルパートを含む。リズムパートには、例えば、ドラム等のパーカッション楽器の音色が割り当てられる。ノーマルパートは、メロディまたは伴奏を構成する複数の音高を発生可能な楽器（例えば、ピアノ、ギターおよびベース等）の音色が割り当てられる。マイクロフォン等を介して外部から入力された音（入力音）がいずれかのパートに割り当てられてもよい。また、各パートは、手動演奏パートおよび自動演奏パートのいずれかに分類される。手動演奏パートでは、ユーザが図１の演奏操作部２を操作することによりリアルタイムで演奏を行う。自動演奏パートでは、予め用意されたシーケンスデータに基づいて自動演奏が行われる。シーケンスデータは、例えばＭＩＤＩ（Musical Instrument Digital Interface）データである。図１の記憶装置１３に、各パートに割り当てられる音色または入力音、ならびに自動演奏パートのシーケンスデータが記憶される。
【００３０】
基準パート決定部５１は、複数のパートのうち１つのパートを基準パートに決定する。例えば、ユーザが設定操作部４を操作して選択したパートが基準パートに決定される。後述のように、基準パートを決定するための決定条件が定められ、その決定条件に基づいて基準パートが決定されてもよい。対象パート群決定部５２は、複数のパートのうち基準パートを除く他の複数のパートを対象パート群に決定する。以下、対象パート群決定部５２により決定された対象パート群に含まれる複数のパートの各々を対象候補パートと呼ぶ。
【００３１】
取得部５３は、基準パートに設定された第１の音響パラメータの値の変化パターンを取得する。本例において、第１の音響パラメータは音量であり、変化パターンは、音量の時間的変化を表すエンベロープ（包絡線）である。例えば、音源１６から出力される基準パートの音響信号から音量の時間的変化を表すエンベロープが取得される。
【００３２】
受付部５４は、対象パート群に設定されるべき第２の音響パラメータの選択を受け付ける。例えば、ユーザが図１の設定操作部４の操作により第２の音響パラメータを選択する。第２の音響パラメータとして、音量（Volume）、カットオフ（Cutoff）、レゾナンス（Resonance）、音高（Pitch）、定位（Pan）、ＬＦＯ（Low Frequency Oscillator）等が選択可能である。
【００３３】
判定部５５は、対象パート群決定部５２により決定された対象パート群の各対象候補パートについて、第２の音響パラメータの値を変化させるべきか否かの判定（以下、可否判定と呼ぶ。）を行う。以下、可否判定において第２の音響パラメータの値を変化させるべきであると判定された対象候補パートを変化対象パートと呼ぶ。設定部５６は、各変化対象パートについて、第２の音響パラメータの値の変化の度合いを表す変化係数を設定する。本例では、可否判定を行うための可否条件、および変化係数を設定するための係数設定条件が定められる。可否条件および係数設定条件は、一定に固定されていてもよく、ユーザが変更可能であってもよい。判定部５５は、可否条件に基づいて可否判定を行い、設定部５６は、係数設定条件に基づいて変化係数を設定する。可否条件および係数設定条件の詳細は後述する。
【００３４】
変化部５７は、取得部５３により取得された変化パターンに従って対象パート群の第２の音響パラメータの値を変化させる。本例では、対象パート群のうち変化対象パートの第２の音響パラメータの値が変化される。この場合、変化部５７は、図１の音源１２を制御することによって変化対象パートの第２の音響パラメータの値を制御する。表示制御部５８は、基準パートおよび対象パート群を決定するための一括設定画面をディスプレイ６に表示させる。一括設定画面の詳細は後述する。
【００３５】
［３］第１および第２の音響パラメータ
図３は、基準パートと対象パート群との関係について説明するための図である。図３においては、複数のパートを区別するため、各パートにパート番号“Ｎ”（Ｎは、正の整数）が付される。本例では、パート“１”〜“４”が設定される。パート“１”〜“３”は、ノーマルパートであり、パート“４”はリズムパートである。図２の基準パート決定部５１が、例えば、リズムパートであるパート“４”を基準パートに決定する。基準パートが決定されると、図２の対象パート群決定部５２は、基準パート以外の３つのパート“１”〜“３”を対象パート群に決定する。続いて、図２の判定部５５が、対象パート群から変化対象パートを決定する。本例では、対象パート群に含まれるパート“１”〜“３”の全てが変化対象パターンに決定される。
【００３６】
演奏が開始されると、図２の取得部５３は、基準パートであるパート“４”の第１の音響パラメータの値の変化パターンを取得する。図２の変化部５７は、取得された変化パターンに従ってパート“１”〜“３”の第２の音響パラメータの値を変化させる。これにより、パート“４”の第１の音響パラメータの値の変化に連動するように、パート“１”〜“３”の第２の音響パラメータの値が変化する。
【００３７】
例えば、基準パートの音量の時間的変化を表すエンベロープが変化パターンとして抽出され、そのエンベロープに従って対象パート群の第２の音響パラメータ（例えば音量）の値が変化される。図４は、基準パートの音量と対象パート群の第２の音響パラメータとの関係について説明するための図である。図４の上部には基準パートの音響信号の波形（音響波形）ＳＷが表され、中央部には音響波形ＳＷのピーク値のエンベロープＥＣが表され、下部には第２の音響パラメータが表される。図４において、横軸は時間を表し、縦軸は変位および第２の音響パラメータの値を表す。図４の上部に示される音響波形ＳＷの振幅が、基準パートの音量を表す。また、図４の中央部に示されるエンベロープＥＣが、基準パートの音量の時間的変化を表す。このエンベロープＥＣと連動するように、対象パート群の第２の音響パラメータの値が変化される。第２の音響パラメータの値の変化の度合いは、各変化対象パートに設定された変化係数に依存する。
【００３８】
ここで、基準パートの第１の音響パラメータの値の変化の態様によっては、第２の音響パラメータの値を効果的に変化させることができない。例えば、第１の音響パラメータの値が変化する頻度が低い場合には、第２の音響パラメータの値の変化の頻度も低くなるので、音楽的な魅力が乏しくなりやすい。
【００３９】
そこで、例えばリズムパートであることが基準パートの決定条件として定められてもよい。一般的にリズムパートでは、時間軸上で複数の音が連続的に配置され、かつ各音のアタックおよび減衰が比較的大きい。そのため、リズムパートの音量は、継続的または断続的に変化する。したがって、リズムパートが基準パートに決定された場合には、基準パートの音量の時間的変化に従って対象パート群の第２の音響リズムパートの値が効果的に変化される。あるいは、アルペジオが設定されていることが決定条件として定められてもよい。アルペジオが設定されている場合、該当のパートの音高が予め設定されたアルペジオパターンに従って連続的に変化する。この場合も、時間軸上で複数の音が連続的に配置されるので、音量が継続的または断続的に変化しやすい。したがって、アルペジオが設定されているパートが基準パートに決定された場合には、基準パートの音量の時間的変化に従って対象パート群の第２の音響リズムパートの値が効果的に変化される。
【００４０】
また、第１の音響パラメータの値の変化の度合いが一定の基準を満たすことが決定条件として定められてもよい。例えば、音量が、しきい値を境界とする上範囲と下範囲との間で一定時間毎に一定回数以上移行することが決定条件として定められてもよい。この場合も、基準パートの音量が継続的または断続的に変化するので、基準パートの音量の時間的変化に従って対象パート群の第２の音響パラメータの値が効果的に変化される。
【００４１】
本例では、基準パートおよび対象パート群の決定時に、基準パートおよび対象候補パートを一括設定するための一括設定画面が図１のディスプレイ６に表示される。図５は、一括設定画面の例を示す図である。図５の一括設定画面ＳＰは、パート表示領域Ｒ１、キット選択領域Ｒ２、パラメータ選択領域Ｒ３、項目表示領域Ｒ４および一括設定ボタンＳＢを含む。
【００４２】
パート表示領域Ｒ１には、現時点で基準パートに選択されているパート（パート番号）が表示される。図５の例において、現時点で選択されているパート“４”は、リズムパートである。キット選択領域Ｒ２には、リズムパートの音色として選択可能な複数（本例では、９つ）のリズムキットが表示される。各リズムキットは、複数のリズム楽器の組み合わせである。リズムキット毎に異なるリズムパターンが設定されていてもよい。ユーザは、表示された複数のリズムキットのうち所望のリズムキットを選択する。
【００４３】
パラメータ選択領域Ｒ３において、第２の音響パラメータを選択することができる。“Destination”は、第２の音響パラメータを表す。図５の例では、第２の音響パラメータ（Destination）として、音量（Volume）が選択されている。項目表示領域Ｒ４には、第２の音響パラメータに関する“Gain”および“Polarity”等の複数の設定項目が表示される。ユーザは、各設定項目の数値または条件を変更することにより、対象パート群の第２の音響パラメータの値の変化の態様を調整することができる。この場合、複数パートの第２の音高パラメータの値の変化の態様を一括で調整可能であってもよく、パート毎に第２の音高パラメータの値の変化の態様を個別に調整可能であってもよい。
【００４４】
一括設定ボタンＳＢが操作されると、現時点で選択されているパート（パート表示領域Ｒ１に表示されているパート）が基準パートに決定され、それ以外の複数のパートが対象パート群に決定される。また、一括設定ボタンＳＢが操作されると、パラメータ選択領域Ｒ３に表示された第２の音響パラメータの選択が受け付けられる。
【００４５】
［４］条件テーブル
可否条件および係数設定条件の具体例を説明する。本例では、可否条件および係数設定条件を定めた条件テーブルが用いられる。図６は、条件テーブルの一例を示す図である。図６の条件テーブルでは、第２の音響パラメータとして選択される可能性がある複数の音響パラメータ（以下、選択対象パラメータと呼ぶ。）と、対象候補パートに設定される音源方式との関係が定められる。音源方式としては、ＰＣＭ（Pulse Code Modulation）音源またはＦＭ（Frequency Modulation）音源が用いられる。音源方式毎に、各選択対象パラメータに対応するパラメータ名および変化係数が定められる。
【００４６】
ＰＣＭ音源については、ノーマルパートとリズムパートとで別個にパラメータ名および変化係数が定められる。ＰＣＭ音源が用いられる場合、リズムパートでは、“Cutoff”または“Resonance”等の値を変化させても、聴感的にはその変化をほとんど知覚することができない。そこで、リズムパートにおいては、一部の選択対象パラメータの値を変化させるべきでないことが可否条件として定められる。図６の条件テーブルでは、変化させるべきでない選択対象パラメータに対応するパラメータ名および変化係数が“×”で表される。
【００４７】
図２の判定部５５は、図６の条件テーブルに基づいて、各対象候補パートの可否判定を行う。例えば、第２の音響パラメータとして“Cutoff”が設定され、対象候補パートがノーマルパートであり、かつ対象候補パートの音源方式がＰＣＭ音源である場合、判定部５５は、その対象候補パートの第２の音響パラメータの値を変化させるべきであると判定する。一方、第２の音響パラメータとして“Cutoff”が設定され、対象候補パートがリズムパートであり、かつ対象候補パートの音源方式がＰＣＭ音源である場合、判定部５５は、その対象候補パートの第２の音響パラメータの値を変化させるべきでないと判定する。これにより、対象パート群から変化対象パートが決定される。
【００４８】
図２の設定部５６は、図６の条件テーブルに基づいて、各変化対象パートの変化係数を設定する。例えば、第２の音響パラメータとして“Resonance”が設定され、変化対象パートの音源方式がＦＭ音源である場合、その変化対象パートの変化係数を“６６”に設定する。
【００４９】
［５］パラメータ制御情報
図１の記憶装置１３は、各パートについて複数の設定記憶領域を有する。これら複数の設定記憶領域には、複数のパラメータ制御情報がそれぞれ記憶される。図７は、複数の設定記憶領域に記憶される複数のパラメータ制御情報の例を示す図である。図７の例では、１つのパートについて１６の設定記憶領域が設けられる。各設定記憶領域には、セット番号“１”〜“１６”が付される。この場合、１つのパートについて最大で１６のパラメータ制御情報を設定することができる。
【００５０】
パラメータ制御情報は、基準パラメータ、制御パラメータおよび変化係数を含む。この場合、基準パラメータに基づいて、制御パラメータが制御される。基準パラメータとしては、例えば、図１の演奏操作部２に含まれるいずれかの操作子に割り当てられたパラメータが設定される。制御パラメータとしては、いずれかの音響パラメータが設定される。変化係数は、基準パラメータの値の変化に対する制御パラメータの値の変化の度合いを表す。
【００５１】
図７の例では、セット番号“１”および“２”の設定記憶領域にパラメータ制御情報が記憶されている。具体的には、セット番号“１”の設定記憶領域には、基準パラメータとして“ノブ１”が記憶され、制御パラメータとして“Volume”が記憶され、変化係数として“３２”が記憶される。ノブ１は、図１の演奏操作部２に含まれる回転操作子の１つである。この場合、ノブ１の操作に基づいて、 “Volume”が制御される。セット番号“２”の設定記憶領域には、基準パラメータとして“フットコントローラ１”が記憶され、制御パラメータとして“Cut Off”が記憶され、変化係数として“６１”が記憶される。フットコントローラ１は、図１の演奏操作部２に含まれるペダル操作子の１つである。この場合、フットコントローラ１の操作に基づいて、“Cutoff”が制御される。
【００５２】
本実施の形態では、基準パートおよび変化対象パートが決定されると、変化対象パートのいずれかの設定記憶領域に、基準パラメータとして第１の音響パラメータが記憶され、制御パラメータとして第２の音響パラメータが記憶される。これにより、第１の音響パラメータに基づいて、第２の音響パラメータが制御される。
【００５３】
［６］音響パラメータ調整方法
本実施の形態に係る音響パラメータ調整方法による音響パラメータ設定処理および音響パラメータ制御処理について説明する。図８は、図２の各機能部による音響パラメータ設定処理の一例を示すフローチャートである。図９は、図２の各機能部による音響パラメータ制御処理の一例を示すフローチャートである。図８の音響パラメータ調整処理および図９の音響パラメータ制御処理は、図１のＣＰＵ１１がＲＯＭ１０または記憶装置１３に記憶された音響パラメータ調整プログラムを実行することにより行われる。図８の音響パラメータ調整処理は、電子音楽装置１における演奏前に行われ、図９の音響パラメータ制御処理は、電子音楽装置１における演奏中に行われる。
【００５４】
図８の音響パラメータ設定処理においては、まず、表示制御部５８が、図１のディスプレイ６に一括設定画面ＳＰ（図５参照）を表示させる（ステップＳ１）。一括設定画面ＳＰのパート表示領域Ｒ１には、その時点で基準パートに選択されているパートが表示される。次に、基準パート決定部５１が、一括設定画面ＳＰ内で一括設定ボタンＳＢが操作されたか否かを判定する（ステップＳ２）。一括設定ボタンＳＢが操作されるまで、基準パート決定部５１はステップＳ２を繰り返す。
【００５５】
一括設定ボタンＳＢが操作されると、基準パート決定部５１は、その時点で選択されているパートを基準パートに決定する（ステップＳ３）。また、対象パート群決定部５２が、基準パート以外の全てのパートを対象パート群に決定する（ステップＳ４）。さらに、受付部５４が、第２の音響パラメータの選択を受け付ける（ステップＳ５）。
【００５６】
次に、判定部５５が、条件テーブルにより定められた可否条件に基づいて、決定された対象パート群に含まれる各対象候補パートについてステップＳ５で受け付けられた第２の音響パラメータの値を変化させるべきか否かの可否判定を行う（ステップＳ６）。これにより、変化対象パートが決定される。
【００５７】
次に、設定部５６が、決定された各変化対象パートについて、パラメータ制御情報を追加可能であるか否かを判定する（ステップＳ７）。具体的には、各変化対象パートに対応する複数の設定記憶領域のうち、パラメータ制御情報が記憶されていない設定記憶領域が有るか否かが判定される。いずれかの設定記憶領域にパラメータ制御情報が記憶されていない場合、設定部５６は、パラメータ制御情報を追加可能であると判定する。全てのパラメータ制御情報にパラメータ制御情報が記憶されている場合、設定部５６は、パラメータ制御情報を追加することができないと判定する。
【００５８】
いずれかの変化対象パートについてパラメータ制御情報を追加することができない場合には、音響パラメータ設定処理が終了される。全ての変化対象パートについてパラメータ制御情報を追加可能である場合、設定部５６は、各変化対象パートについて、パラメータ制御情報を記憶させるべき設定記憶領域のセット番号を取得する（ステップＳ８）。例えば、図７の例のように、セット番号“１”および“２”の設定記憶領域にパラメータ制御情報が記憶されている場合、次のセット番号“３”が取得される。
【００５９】
次に、基準パート決定部５１が、全ての変化対象パートに対して第１の音響パラメータを一括設定する（ステップＳ９）。具体的には、全ての変化対象パートについて、ステップＳ８で取得されたセット番号の設定記憶領域に、基準パラメータとして、第１の音響パラメータが記憶される。
【００６０】
次に、対象パート群決定部５２が、全ての変化対象パートに対して第２の音響パラメータを一括設定する（ステップＳ１０）。具体的には、全ての変化対象パートについて、ステップＳ８で取得されたセット番号の設定記憶領域に、制御パラメータとして、ステップＳ５で受け付けられた第２の音響パラメータが記憶される。
【００６１】
次に、設定部５６が、条件テーブルにより定められた係数設定条件に基づいて、全ての変化対象パートに対して変化係数を一括設定する（ステップＳ１１）。具体的には、全ての変化対象パートについて、ステップＳ１０で設定された第２の音響パラメータに対応する変化係数が条件テーブルから取得される。取得された変化係数が、ステップＳ８で取得されたセット番号の設定記憶領域に記憶される。これにより、音響パラメータ設定処理が終了される。
【００６２】
基準パートが適宜変更可能であってもよい。基準パートが変更されると、ステップＳ３〜Ｓ１１の処理が繰り返される。また、基準パートに選択可能なパートが制限されてもよい。例えばリズムパートのみが基準パートに選択可能であってもよい。また、一括設定画面ＳＰで選択されているパートが基準パートに決定されるのではなく、決定条件に基づいて基準パートが決定されてもよい。また、第２の音響パラメータが適宜変更可能であってもよい。第２の音響パラメータが変更されると、ステップＳ５〜Ｓ１１の処理が繰り返される。
【００６３】
ステップＳ７でいずれかの変化対象パートについてパラメータ制御情報を追加することができない場合に、音響パラメータ設定処理が終了されるのではなく、パラメータ制御情報を追加可能な変化対象パートに対してパラメータ制御情報（基準パラメータ、制御パラメータおよび変化係数）が設定されてもよい。
【００６４】
図９の音響パラメータ制御処理においては、まず、取得部５３が、演奏の開始が検出されたか否かを判定する（ステップＳ２１）。例えば、図１の設定操作部４が開始ボタンを含み、ユーザによって開始ボタンが操作された場合に演奏の開始が検出される。演奏の開始が検出されると、自動演奏パートにおいては、図１の記憶装置１３に記憶されたシーケンスデータに従って自動演奏パートが再生される。それにより、図１のサウンドシステム１８から自動演奏パートの演奏音が出力される。また、手動演奏パートにおいては、ユーザによる演奏操作部２（例えば鍵盤）の操作に基づいてサウンドシステム１８から手動演奏パートの演奏音が出力される。
【００６５】
取得部５３は、演奏の開始が検出されるまでステップＳ２１を繰り返す。演奏の開始が検出されると、取得部５３は、基準パートに設定された第１の音響パラメータの値を取得する（ステップＳ２２）。例えば、図１の音源１６から出力される音響信号から基準パートの音量が取得される。次に、変化部５７が、算出された第１の音響パラメータの値に基づいて、各変化対象パートの第２の音響パラメータの値を調整する（ステップＳ２４）。この場合、各変化対象パートに設定された変化係数に基づいて第２の音響パラメータの値が算出される。
【００６６】
次に、変化部５７は、演奏の停止が検出されたか否かを判定する（ステップＳ２５）。例えば、図１の設定操作部４が停止ボタンを含み、停止ボタンが操作された場合に演奏の停止が検出される。また、シーケンスデータにおける再生位置が終了位置に到達することによって演奏の停止が検出されてもよい。演奏の停止が検出されると、自動演奏パートの再生が停止される。演奏の停止が検出されない場合、取得部５３がステップＳ２２に戻る。演奏の停止が検出されると、音響パラメータ調整処理が終了される。
【００６７】
［７］実施の形態の効果
本実施の形態に係る音響パラメータ調整装置１００においては、複数のパートのうち１つのパートが基準パートに決定されると、基準パートを除く他の複数のパートが対象パート群に決定される。この場合、基準パートを除く他の複数のパートについて、パート毎に基準パートとの関係を設定する必要がなく、これら複数のパートを一括で対象パート群に設定することができる。また、基準パートの第１の音響パラメータの値の変化パターンに従って、対象パート群の第２の音響パラメータの値を変化させることができる。これにより、容易にかつ効果的に複数のパートの音響パラメータの値を変化させることができる。
【００６８】
また、本実施の形態では、選択された第２の音響パラメータおよび可否条件に基づいて、対象パート群に含まれる各対象候補パートについて第２の音響パラメータの値を変化させるべきか否かが判定され、その判定結果に基づいて対象パート群の第２の音響パラメータが制御される。これにより、各対象候補パートの種類および音源形式等に応じて、対象パート群の第２の音響パラメータの値を適切に制御することができる。
【００６９】
また、本実施の形態では、第２の音響パラメータの値を変化させるべきであると判定された対象候補パート（変化対象パート）に対して、第２の音響パラメータおよび係数設定条件に基づいて変化係数が設定される。これにより、各変化対象パートの第２の音響パラメータの値をより効果的に変化させることができる。
【００７０】
［８］他の実施の形態
上記実施の形態では、対象パート群から可否条件に基づいて変化対象パートが決定され、各変化対象パートの第２の音響パラメータの値が第１の音響パラメータの値の変化パターンに従って変化されるが、本発明はこれに限定されない。例えば、対象パート群に含まれる全ての対象候補パートの第２の音響パラメータの値が第１の音響パラメータの値の変化パターンに従って変化されてもよい。その場合、図２の判定部５５は設けられなくてもよい。また、上記実施の形態では、基準パート以外の全パートが対象パート群に決定されるが、基準パート以外の全パートのうち、一定の条件を満たす複数のパートまたはユーザにより選択された複数のパートが対象パート群に決定されてもよい。
【００７１】
第１の音響パラメータは、基準パートの音量に限らない。例えば、基準パートの音高が第１の音響パラメータとして用いられてもよい、また、演奏操作部２のペダル操作子、回転操作子またはスライド操作子に割り当てられたパラメータが第１の音響パラメータとして用いられてもよい。
【００７２】
上記実施の形態では、ユーザにより選択された音響パラメータが第２の音響パラメータが選択されるが、予め定められた音響パラメータが第２の音響パラメータに決定されてもよい。その場合、図２の受付部５４は設けられなくてもよい。また、上記実施の形態では、変化対象パート毎に変化係数が設定されるが、全変化対象パートに対して共通の変化係数が設定されてもよい。その場合、図２の設定部５６は設けられなくてもよい。また、上記実施の形態では、一括設定画面ＳＰ上で種々の設定が行われるが、一括設定画面ＳＰが表示されることなく他の方法でこれらの設定が行われてもよい。その場合、図２の表示制御部５８は設けられなくてもよい。
【００７３】
上記実施の形態では、図２の各機能部がＣＰＵ１１等のハードウェアおよび音響パラメータ調整プログラム等のソフトウェアにより実現されるが、これらの機能部が電子回路等のハードウェアにより実現されてもよい。
【００７４】
音響パラメータ調整装置１００が、パーソナルコンピュータ、スマートフォンまたはタブレット端末等の他の電子機器に適用されてもよい。
【図１】
2019159259.tif 000003
【図２】
2019159259.tif 000004
【図３】
2019159259.tif 000005
【図４】
2019159259.tif 000006
【図５】
2019159259.tif 000007
【図６】
2019159259.tif 000008
【図７】
2019159259.tif 000009
【図８】
2019159259.tif 000010
【図９】
2019159259.tif 000011
【手続補正書】
【提出日】令和2年7月27日(2020.7.27)
【手続補正１】
【補正対象書類名】明細書
【補正対象項目名】００３４
【補正方法】変更
【補正の内容】
【００３４】
変化部５７は、取得部５３により取得された変化パターンに従って対象パート群の第２の音響パラメータの値を変化させる。本例では、対象パート群のうち変化対象パートの第２の音響パラメータの値が変化される。この場合、変化部５７は、図１の音源１６を制御することによって変化対象パートの第２の音響パラメータの値を制御する。表示制御部５８は、基準パートおよび対象パート群を決定するための一括設定画面をディスプレイ６に表示させる。一括設定画面の詳細は後述する。
【手続補正２】
【補正対象書類名】明細書
【補正対象項目名】００３５
【補正方法】変更
【補正の内容】
【００３５】
［３］第１および第２の音響パラメータ
図３は、基準パートと対象パート群との関係について説明するための図である。図３においては、複数のパートを区別するため、各パートにパート番号“Ｎ”（Ｎは、正の整数）が付される。本例では、パート“１”〜“４”が設定される。パート“１”〜“３”は、ノーマルパートであり、パート“４”はリズムパートである。図２の基準パート決定部５１が、例えば、リズムパートであるパート“４”を基準パートに決定する。基準パートが決定されると、図２の対象パート群決定部５２は、基準パート以外の３つのパート“１”〜“３”を対象パート群に決定する。続いて、図２の判定部５５が、対象パート群から変化対象パートを決定する。本例では、対象パート群に含まれるパート“１”〜“３”の全てが変化対象パートに決定される。
【手続補正３】
【補正対象書類名】明細書
【補正対象項目名】００３９
【補正方法】変更
【補正の内容】
【００３９】
そこで、例えばリズムパートであることが基準パートの決定条件として定められてもよい。一般的にリズムパートでは、時間軸上で複数の音が連続的に配置され、かつ各音のアタックおよび減衰が比較的大きい。そのため、リズムパートの音量は、継続的または断続的に変化する。したがって、リズムパートが基準パートに決定された場合には、基準パートの音量の時間的変化に従って対象パート群の第２の音響パラメータの値が効果的に変化される。あるいは、アルペジオが設定されていることが決定条件として定められてもよい。アルペジオが設定されている場合、該当のパートの音高が予め設定されたアルペジオパターンに従って連続的に変化する。この場合も、時間軸上で複数の音が連続的に配置されるので、音量が継続的または断続的に変化しやすい。したがって、アルペジオが設定されているパートが基準パートに決定された場合には、基準パートの音量の時間的変化に従って対象パート群の第２の音響パラメータの値が効果的に変化される。
【手続補正４】
【補正対象書類名】明細書
【補正対象項目名】００４３
【補正方法】変更
【補正の内容】
【００４３】
パラメータ選択領域Ｒ３において、第２の音響パラメータを選択することができる。“Destination”は、第２の音響パラメータを表す。図５の例では、第２の音響パラメータ（Destination）として、音量（Volume）が選択されている。項目表示領域Ｒ４には、第２の音響パラメータに関する“Gain”および“Polarity”等の複数の設定項目が表示される。ユーザは、各設定項目の数値または条件を変更することにより、対象パート群の第２の音響パラメータの値の変化の態様を調整することができる。この場合、複数パートの第２の音響パラメータの値の変化の態様を一括で調整可能であってもよく、パート毎に第２の音響パラメータの値の変化の態様を個別に調整可能であってもよい。
【手続補正５】
【補正対象書類名】明細書
【補正対象項目名】００５７
【補正方法】変更
【補正の内容】
【００５７】
次に、設定部５６が、決定された各変化対象パートについて、パラメータ制御情報を追加可能であるか否かを判定する（ステップＳ７）。具体的には、各変化対象パートに対応する複数の設定記憶領域のうち、パラメータ制御情報が記憶されていない設定記憶領域が有るか否かが判定される。いずれかの設定記憶領域にパラメータ制御情報が記憶されていない場合、設定部５６は、パラメータ制御情報を追加可能であると判定する。全ての設定記憶領域にパラメータ制御情報が記憶されている場合、設定部５６は、パラメータ制御情報を追加することができないと判定する。
【手続補正６】
【補正対象書類名】明細書
【補正対象項目名】００６５
【補正方法】変更
【補正の内容】
【００６５】
取得部５３は、演奏の開始が検出されるまでステップＳ２１を繰り返す。演奏の開始が検出されると、取得部５３は、基準パートに設定された第１の音響パラメータの値を取得する（ステップＳ２２）。例えば、図１の音源１６から出力される音響信号から基準パートの音量が取得される。取得部は、第１の音響パラメータの値の変化パターンを取得する（ステップＳ２３）。次に、変化部５７が、取得された変化パターンに従って、各変化対象パートの第２の音響パラメータの値を調整する（ステップＳ２４）。この場合、各変化対象パートに設定された変化係数に基づいて第２の音響パラメータの値が算出される。
【手続補正７】
【補正対象書類名】特許請求の範囲
【補正対象項目名】全文
【補正方法】変更
【補正の内容】
【特許請求の範囲】
【請求項１】
３つ以上の複数のパートのうち１つのパートを基準パートに決定する基準パート決定部と、
前記複数のパートのうち前記基準パートを除く他の複数のパートを対象パート群に決定する対象パート群決定部と、
前記基準パートに設定される第１の音響パラメータの値の変化パターンを取得する取得部と、
前記取得された変化パターンに従って前記対象パート群に設定される第２の音響パラメータの値を変化させる変化部とを備えた、音響パラメータ調整装置。
【請求項２】
前記第１の音響パラメータは音量であり、
前記変化パターンは、音量の時間的変化を表す包絡線である、請求項１記載の音響パラメータ調整装置。
【請求項３】
前記第２の音響パラメータの選択を受け付ける受付部と、
選択された第２の音響パラメータおよび可否条件に基づいて、前記対象パート群の各パートについて前記選択された第２の音響パラメータの値を変化させるべきか否かを判定する判定部とをさらに備え、
前記変化部は、前記対象パート群のうち、前記第２の音響パラメータの値を変化させるべきであると判定されたパートについて前記変化パターンに従って前記第２の音響パラメータの値を変化させる、請求項１または２記載の音響パラメータ調整装置。
【請求項４】
前記選択された第２の音響パラメータおよび係数設定条件に基づいて、前記第２の音響パラメータの値を変化させるべきであると判定されたパートに、前記第２の音響パラメータの変化の度合いを表す変化係数を設定する設定部をさらに備える、請求項３記載の音響パラメータ調整装置。
【請求項５】
前記基準パート決定部は、前記複数のパートのうち、決定条件を満たすパートを基準パートに決定する、請求項１〜４のいずれか一項に記載の音響パラメータ調整装置。
【請求項６】
前記決定条件は、第１の音響パラメータの値がしきい値を境界とする上範囲と下範囲との間で一定時間毎に一定回数以上移行することである、請求項５記載の音響パラメータ調整装置。
【請求項７】
前記決定条件は、アルペジオが設定されていることである、請求項５記載の音響パラメータ調整装置。
【請求項８】
３つ以上の複数のパートのうち１つのパートを基準パートに決定することと、
前記複数のパートのうち前記基準パートを除く他の複数のパートを対象パート群に決定することと、
前記基準パートに設定される第１の音響パラメータの値の変化パターンを取得することと、
前記取得された変化パターンに従って前記対象パート群に設定される第２の音響パラメータの値を変化させることとを含む、音響パラメータ調整方法。
【請求項９】
前記第１の音響パラメータは音量であり、
前記変化パターンは、音量の時間的変化を表す包絡線である、請求項８記載の音響パラメータ調整方法。
【請求項１０】
方法は、
前記第２の音響パラメータの選択を受け付けることと、
選択された第２の音響パラメータおよび可否条件に基づいて、前記対象パート群の各パートについて前記選択された第２の音響パラメータの値を変化させるべきか否かを判定することとをさらに含み、
前記第２の音響パラメータの値を変化させることは、前記対象パート群のうち、前記第２の音響パラメータの値を変化させるべきであると判定されたパートについて前記変化パターンに従って前記第２の音響パラメータの値を変化させることを含む、請求項８または９記載の音響パラメータ調整方法。
【請求項１１】
前記選択された第２の音響パラメータおよび係数設定条件に基づいて、前記第２の音響パラメータの値を変化させるべきであると判定されたパートに、前記第２の音響パラメータの変化の度合いを表す変化係数を設定することをさらに含む、請求項１０記載の音響パラメータ調整方法。
【請求項１２】
前記基準パートを決定することは、前記複数のパートのうち、決定条件を満たすパートを基準パートに決定することを含む、請求項８〜１１のいずれか一項に記載の音響パラメータ調整方法。
【請求項１３】
前記決定条件は、第１の音響パラメータの値がしきい値を境界とする上範囲と下範囲との間で一定時間毎に一定回数以上移行することである、請求項１２記載の音響パラメータ調整方法。
【請求項１４】
前記決定条件は、アルペジオが設定されていることである、請求項１２記載の音響パラメータ調整方法。
【請求項１５】
３つ以上の複数のパートのうち１つのパートを基準パートに決定することと、
前記複数のパートのうち前記基準パートを除く他の複数のパートを対象パート群に決定することと、
前記基準パートに設定される第１の音響パラメータの値の変化パターンを取得することと、
取得された前記変化パターンに従って前記対象パート群に設定される第２の音響パラメータの値を変化させることとを、
コンピュータに実行させるための音響パラメータ調整プログラム。
【請求項１６】
前記第１の音響パラメータは音量であり、
前記変化パターンは、音量の時間的変化を表す包絡線である、請求項１５記載の音響パラメータ調整プログラム。
【請求項１７】
前記第２の音響パラメータの選択を受け付けることと、
選択された第２の音響パラメータおよび可否条件に基づいて、前記対象パート群の各パートについて前記選択された第２の音響パラメータの値を変化させるべきか否かを判定することとを、
前記コンピュータにさらに実行させ、
前記第２の音響パラメータの値を変化させることは、前記対象パート群のうち、前記第２の音響パラメータの値を変化させるべきであると判定されたパートについて前記変化パターンに従って前記第２の音響パラメータの値を変化させることを含む、請求項１５または１６記載の音響パラメータ調整プログラム。
【請求項１８】
前記選択された第２の音響パラメータおよび係数設定条件に基づいて、前記第２の音響パラメータの値を変化させるべきであると判定されたパートに、前記第２の音響パラメータの変化の度合いを表す変化係数を設定することをさらに含む、請求項１７記載の音響パラメータ調整プログラム。
【請求項１９】
前記基準パートを決定することは、前記複数のパートのうち、決定条件を満たすパートを基準パートに決定することを含む、請求項１５〜１８のいずれか一項に記載の音響パラメータ調整プログラム。
【請求項２０】
前記決定条件は、第１の音響パラメータの値がしきい値を境界とする上範囲と下範囲との間で一定時間毎に一定回数以上移行することである、請求項１９記載の音響パラメータ調整プログラム。
【請求項２１】
前記決定条件は、アルペジオが設定されていることである、請求項１９記載の音響パラメータ調整プログラム。
【手続補正８】
【補正対象書類名】図面
【補正対象項目名】図９
【補正方法】変更
【補正の内容】
【図９】
2019159259.tif 000012
【国際調査報告】
2019159259.tif 000013
2019159259.tif 000014
2019159259.tif 000015
2019159259.tif 000016